(57)【要約】【課題】変化する表示内容に応じて低コストで対応し得るように表示用紙を交換するだけで表示することができるようにした表示用紙交換ホルダーを提供する。【解決手段】透視性を有する合成樹脂から成る袋状シート１の少なくとも上辺に係止用の挿通穴２を有する係止片３が形成されると共に、該袋状シート１の上辺又は下辺のいずれか一方に設けられた開口４に蓋弁５が設けられ、該蓋弁５をあけて前記袋状シート１内に所定の表示用紙１０を収納することによって該表示用紙１０を入れ替え自在に表示可能とした。【選択図】図１
2004333906.tif 000002
【特許請求の範囲】
【請求項１】
透視性を有する合成樹脂から成る袋状シートの少なくとも上辺に係止用の挿通穴を有する係止片が形成されると共に、該袋状シートの上辺又は下辺のいずれか一方に設けられた開口に蓋弁が設けられ、該蓋弁をあけて前記袋状シート内に所定の表示用紙を収納することによって該表示用紙を交換自在に表示するようにしたことを特徴とする表示用紙交換ホルダー。
【請求項２】
前記袋状シートの上辺に少なくとも２つの係止片を形成すると共に一側辺に少なくとも１つの係止片を形成し、各係止片に形成した挿通穴にＬ字形支柱を挿通して小型のぼり旗としたことを特徴とする請求項１記載の表示用紙交換ホルダー。
【請求項３】
前記袋状シートの上辺に係止片を形成することによって該係止片の挿通穴に掛止金具又は線材を掛けることによって表示可能としたことを特徴とする請求項１記載の表示用紙交換ホルダー。
【請求項４】
前記袋状シートの上辺に設けられた係止片の挿通穴の一側に切込線を設け、該切込線を介して前記挿通穴に植物の枝又は茎等を係止可能としたことを特徴とする請求項１記載の表示用紙交換ホルダー。
【発明の詳細な説明】
【０００１】
【発明の属する技術分野】
本発明は、広告内容や表示内容を記載した表示用紙を交換可能に保持して表示するようにした表示用紙交換ホルダーに関する。
【０００２】
【従来の技術】
近年において、例えば、のぼり旗は、商品の広告やイベントの紹介等に利用されている。このようなのぼり旗の従来例としては、特許文献１または特許文献２に記載されたものがある。
【０００３】
特許文献１に記載の発明は、図１３に示すように、旗布２０の側辺及び上辺に沿った複数箇所に乳輪２１を縫着し、夫々の乳輪２１、２１…を支柱２２に装着するようにしたものである。
【０００４】
また、特許文献２に記載の発明は、図１４に示すように、水などを収納する空間部を備えた支持台３０に、伸縮ポール３１を着脱自在に立設すると共に、該伸縮ポール３１を支持台３０に連結した複数の支持材３２、３２…によって補強し、伸縮ポール３１及び該伸縮ポール３１の先端部に回転自在に取り付けた回転アーム３３に複数のフック材３４を介してのぼり旗３５を掛止するようにしたものである。
【０００５】
【特許文献１】
特開２００１−１８８４９２号公報
【特許文献２】
特開２００２−２７８４８９号公報
【０００６】
【発明が解決しようとする課題】
ところが、特許文献１に記載されたのぼり旗は、通常の大きさを有するのぼり旗を構成したものであり、のぼり旗２０はいずれも布製であって、支柱２２に係止する手段においても、のぼり旗２０の端部に乳輪２１を縫着した構成としてある。また、特許文献２に記載されたのぼり旗においても同様に、のぼり旗３５は通常の大きさを有する布製であって、該のぼり旗３５を伸縮ポール３１にフック材３４で掛止する構成としてある。
【０００７】
ところで、上記のような通常の大きさを有するのぼり旗のほかに、近年においては、陳列台や卓上に設置するようにした小型のぼり旗が使用されている。このような小型のぼり旗としては、特許文献１や特許文献２のように布製のぼり旗及び乳輪或はフック材をそのまま小型化したものが周知であるが、小型であるだけに細部の加工に手間を要し、コスト低減の妨げとなっていた。
【０００８】
また、小型のぼり旗に表示する内容が変るたびに、のぼり旗の全体を作り変える必要があり、その製作に手間を要するうえ、コストにも無駄が生じるという問題があった。
【０００９】
さらに、上記の従来例の他に、草花等の植物を店頭で販売する際に、その植物の名称や価格等を記した短冊状の園芸用表示片を形成し、該表示片の上方の穿孔部に線材を挿通して植物の枝等に結わえ付けるものがある。
【００１０】
このような園芸用表示片は、一般的に、草花の種類に応じて大量の枚数を印刷してストックし、必要に応じて使用するようにしているが、大量の在庫を抱えなければならないという不都合がある。また、必要に応じて表示片を取り出すのが面倒であり、また価格等の記載内容の変動によっては在庫の表示片が無駄になるという問題があった。
【００１１】
本発明は、上記の事情に鑑みてなされたもので、変化する表示内容に応じて低コストで対応し得るように表示用紙を交換するだけで表示することができるようにした表示用紙交換ホルダーを提供することを目的とする。
【００１２】
【課題を解決するための手段】
上記の課題を解決するために、本発明の請求項１の表示用紙交換ホルダーは、透視性を有する合成樹脂から成る袋状シートの少なくとも上辺に係止用の挿通穴を有する係止片が形成されると共に、該袋状シートの上辺又は下辺のいずれか一方に設けられた開口に蓋弁が設けられ、該蓋弁をあけて前記袋状シート内に所定の表示用紙を収納することによって該表示用紙を交換自在に表示するようにしたことを特徴とする。
【００１３】
また、本発明の請求項２の表示用紙交換ホルダーは、請求項１において、前記袋状シートの上辺に少なくとも２つの係止片を形成すると共に一側辺に少なくとも１つの係止片を形成し、各係止片に形成した挿通穴にＬ字形支柱を挿通して小型のぼり旗としたことを特徴とする。
【００１４】
また、本発明の請求項３の表示用紙交換ホルダーは、請求項１において、前記袋状シートの上辺に係止片を形成することによって該係止片の挿通穴に掛止金具又は線材を掛けることによって表示可能としたことを特徴とする。
【００１５】
さらに、本発明の請求項４の表示用紙交換ホルダーは、請求項１において、前記袋状シートの上辺に設けられた係止片の挿通穴の一側に切込線を設け、該切込線を介して前記挿通穴に植物の枝又は茎等を係止可能としたことを特徴とする。
【００１６】
【発明の実施の形態】
以下、本発明の実施例について図面を参照しながら説明する。
【００１７】
本発明の表示用紙交換ホルダーＨは、図１に示すように、透視性を有する合成樹脂から成る袋状シート１の少なくとも上辺に挿通穴２を有する係止片３が形成されると共に、該袋状シート１の上辺又は下辺のいずれか一方に設けられた開口４（図１においては上辺に設けられている）に蓋弁５が設けられ、該蓋弁５を開けて袋状シート１内に所定の表示用紙１０を収納することによって表示用紙１０を入れ替え自在としたものである。
【００１８】
このような構成について、より詳細に説明すると、この表示用紙交換ホルダーＨの袋状シート１に使用する材料としては、ポリプロピレン等による透明性を有する合成樹脂製シートを用いる。なお、その材料に、意匠性を考慮して多少の着色を行うことは許容し得るが、少なくとも透視性を有するものでなければならない。
【００１９】
図１に示す表示用紙交換ホルダーＨの形状は、長方形状に形成された袋状シート１の上辺に２つの係止片３、３が離間して形成されると共に、一側に上下に離間して２つの係止片３、３が形成されたものである。また、夫々の係止片３、３・・・には挿通穴２が形成されているため、図１に示すように、ワイヤ等の細径の金属棒からなるＬ字形支柱６を各係止片３、３…の挿通穴２に順次挿通すると共に、支柱６の下端は支持台７の挿着穴７ａに挿着して旗を立てた状態にする。
【００２０】
なお、支持台７は、載置台１５に吸着した吸盤の上部中央に支柱６を挿着する挿通穴７ａを形成したものでよいし、不図示であるが、クリップ等の挟持部材で構成してもよく、のぼり旗の設置箇所によって種々の取付具を用いることができる。
【００２１】
上記の袋状シート１の展開形状１６は、図２に示す通りであり、折曲線９ｃを境界にして左右に長方形平面９ａ、９ｂを有し、例えば右方の長方形平面９ｂにおいて、上辺に２つの係止片３、３が離間して形成され、また一側の上下に離間して２つの係止片３、３が形成されている。
【００２２】
また、図２に示す展開形状１６の右方の長方形平面９ｂにおいては、一側と下側に折曲片１１、１１…が形成され、左右の長方形平面９ａ、９ｂをその中央の折曲線９ｃで折り曲げることにより、左右の長方形平面９ａ、９ｂを合致すると共に、図１に示すように、夫々の折曲片１１、１１…を折り返して、熱圧着１２等により付着することにより、袋状シート１を形成することができる。
【００２３】
さらに、右方の長方形平面９ｂにおいては、上辺の左右の係止片３、３の間に円弧形状の蓋弁５が形成されると共に、左方の長方形平面９ａには蓋弁５に対応する上向き円弧形状の切込線８が形成されている。この切込線８の両端には円形穴８ａ、８ａが形成され、切込線８が端部から裂けるのを防止している。このような構成により、展開形状１６を袋状に形成した状態で、図１に示すように、蓋弁５を下方に折り返して切込線８に挿入することにより、開口４を閉じることができる。
【００２４】
図３に示すように、上記の袋状シート１による表示用紙交換ホルダーＨに表示用紙１０を収納する場合、蓋弁５は上方へ向けることによって開口４を開けた状態にし、該開口４から表示用紙１０を挿入した後、図１に示すように、蓋弁５を下方へ折り返して切込線８に挿入し係止させることによって開口４を閉塞する。
【００２５】
上記のように、図１に示す表示用紙交換ホルダーＨは、袋状シート１の上辺に２つの係止片３、３が形成されると共に、一側の上下に２つの係止片３、３が形成されているものであり、Ｌ字形支柱６を各係止片３、３…の挿通穴２に順次挿通することによって、小型のぼり旗として使用することができる。
【００２６】
また、本発明を小型のぼり旗として使用する他の実施例として、図４に示すように、袋状シート１の上辺に２つの係止片３（３ａ）、３（３ｂ）が形成されると共に、一側の下方のみに１つの係止片３（３ｃ）を形成したものがある。このような構成によれば、Ｌ字形支柱６を袋状シート１の各係止片３、３…の挿通穴２に順次挿通する場合、図１の小型のぼり旗よりは、支柱６の水平部６ａを挿通しやすいという利点がある。
【００２７】
即ち、Ｌ字形支柱６の下端部を支持台７の挿着穴７ａに挿着していない状態で、該Ｌ字形支柱６の下端部を袋状シート１の一側下方の係止片３（３ｃ）の挿通穴２に挿通しておき、この状態でＬ字形支柱６の水平部６ａを傾けた状態にすれば、該水平部６ａの先端を上辺の右方の係止片３（３ｂ）の挿通穴２と左方の係止片３（３ａ）の挿通穴２に順次挿通することができる。
【００２８】
さらに、図５に示す実施例は、図１の表示用紙交換ホルダーＨの開口４を下方に形成したものである。即ち、この図５の表示用紙交換ホルダーＨは、長方形状に形成された袋状シート１の上辺に２つの係止片３、３が離間して形成されると共に、一側に上下に離間して２つの係止片３、３が形成され、夫々の係止片３、３に形成された挿通穴２にワイヤ等の細径の金属棒からなるＬ字形支柱６を順次挿通可能としたものである。
【００２９】
このような構成は、図１の表示用紙交換ホルダーＨと同様であるが、本実施例では、図６の展開形状において、右方の長方形平面９ｂの下辺に円弧形状の蓋弁５が形成されると共に、左方の長方形平面９ａには右方の蓋弁５に対応する下向き円弧形状の切込線８が両端の円形穴８ａ、８ａ間に形成されている。このような構成により、左右の長方形平面９ａ、９ｂを中央の折曲線９ｃで折り曲げることにより、左右の長方形平面９ａ、９ｂを合致すると共に、夫々の折曲片１１、１１…を折り返して、熱圧着１２等により付着することによって袋状に形成し、さらに、図５に示すように、蓋弁５を上方に折り返して切込線８に挿入することにより、下方に設けられた開口４を閉じることができる。
【００３０】
従って、図５に示す表示用紙交換ホルダーＨは、下方に設けられた蓋弁５を切込線８から抜き出して開口４を開放することにより、この開口４から表示用紙１０を収納したり、取り出したりすることができる。このような構成によれば、表示用紙交換ホルダーＨの上辺の係止片３、３或はＬ字形支柱６の水平部６ａに影響されずに、下方の蓋弁５を切込線８に抜き出し又は挿入し、さらには表示用紙１０の収納又は取り出しを行うことが可能となる。
【００３１】
また、本発明の他の実施例として、図７に示すように、図１の支柱６を用いることなく、天井１４等に固定した掛止金具１３を利用して表示可能にした表示用紙交換ホルダーＨがある。この袋状シート１の上辺には２つの係止片３、３が形成されているが、上辺の中央に１つの係止片３を形成するのでもよい。いずれにしても夫々の係止片３に形成された挿通穴２に掛止金具１３を掛けて吊下げるようにしている。
【００３２】
この場合、袋状シート１の一側には係止片を形成する必要がない。その展開形状１６は、図８に示すように、折曲線９ｃを境界にして両側に長方形平面９ａ、９ｂを有し、例えば右方の長方形平面９ｂにおいて、上辺に２つの係止片３、３が離間して形成されると共に、その間に円弧形状の蓋弁５が形成され、さらに左方の長方形平面９ａに上向き円弧形状の切込線８が形成された形状を有する。
【００３３】
このような袋状シート１には、片側の長方形平面９ｂの一側と下側に図２の折曲片１１が形成されていない。従って、この図８に示す展開形状１６は、左右の長方形平面９ａ、９ｂをその中央の折曲線９ｃで折り曲げて合致すると共に、図７に示すように、周縁を熱圧着１２等により付着することによって袋状シート１を形成し、蓋弁５を下方に折り返して切込線８に挿入し係止させる。
【００３４】
さらにまた、本発明の他の実施例として、図９に示すように、本発明による表示用紙交換ホルダーＨを植物の名称や価格等を記した園芸用に適用することができる。この場合、上辺に設けられた係止片３の挿通穴２に線材１７を挿通して植物の枝１８や茎等に結わえ付ける構成とする。
【００３５】
本発明による表示用紙交換ホルダーＨを園芸用に適用する場合、開口４及び蓋弁８は表示用紙交換ホルダーＨの下辺側に設けるのがよい。こうすることによって、上辺の係止片３の存在とは無関係に蓋弁８を形成することができ、さらに表示用紙交換ホルダーＨの内部に水分が浸入した場合でも、下方の蓋弁５の両端から水分が落下して除去される。
【００３６】
図９の表示用紙交換ホルダーＨの展開形状１６は、図１０に示すように、折曲線９ｃを境界にして左右に長方形平面９ａ、９ｂを有し、例えば右方の長方形平面９ｂの上辺に１つの円弧形の係止片３が形成され、該係止片３には挿通穴２が形成されている。また、右方の長方形平面９ｂの下辺には円弧形の蓋弁５が形成され、さらに左方の長方形平面９ａには蓋弁５に対応する下向き円弧形状の切込線８が両端の円形穴８ａ、８ａ間に形成されている。
【００３７】
図１０の展開形状１６において、左右の長方形平面９ａ、９ｂをその中央の折曲線９ｃで折り曲げて合致すると共に、図９に示すように、周縁を熱圧着１２等により付着することによって袋状シート１を形成し、下辺側に設けられた蓋弁５を上方に折り返して切込線８に挿入し係止させる。なお、図９のような園芸用の表示用紙交換ホルダーＨを形成する場合、片側の長方形平面９ｂの一側と上側とに図２に示す折曲片１１を形成して、この折曲片１１を折り曲げて熱圧着１２等により付着するようにしてもよい。
【００３８】
上記のように表示用紙交換ホルダーＨを園芸用に適用した場合、例えば各店舗において必要な枚数の表示用紙１０をパソコン等を利用したプリンタ等で印字して、該表示用紙交換ホルダーＨの下方に設けられた蓋弁５を開けて表示用紙１０を挿入し、再び蓋弁５を切込線８に挿入し係止させる。そして、この表示用紙交換ホルダーＨの上辺の係止片３に設けられた挿通穴２に線材１７を通して植物の枝１８等に結わえることにより表示を行なうことができる。
【００３９】
上記の園芸用の表示用紙交換ホルダーＨによれば、必要枚数の表示用紙１０をパソコン等を利用したプリンタ等で印字して用意することができるため、表示用紙１０に無駄が出ず、必要コストの低減に有益となる。また、表示用紙交換ホルダーＨにおいて蓋弁５が下方に設けられ、その他の上辺及び側辺は密閉されているため、植物の上方から補給された水分が表示用紙交換ホルダーＨの内部に侵入し難い。また、仮に水分が表示用紙交換ホルダーＨの内部に浸入した場合でも、開口４が下方に形成されているため、蓋弁５の両端の隙間から水分が落下して除去される。
【００４０】
なお、本発明の表示用紙交換ホルダーＨを園芸用に適用する場合においても、ポリプロピレン等による透明性を有する合成樹脂製シートを用い、さらには紫外線の透過を防止し得るコーティングを施すようにしてもよい。
【００４１】
さらに、本発明による表示用紙交換ホルダーＨを園芸用に適用した他の実施例として、図１１に示すように、図９と同様の袋状シート１の上辺に設けられた係止片３の挿通穴２の一側に切込線１９を設け、該切込線１９を介して挿通穴２に植物の枝１８又は茎等を係止することができる。この表示用紙交換ホルダーＨの展開形状１６は、図１２に示すように、図１０に示す展開形状１６における係止片３の挿通穴２の一側に切込線１９を設けることによって形成することができる。
【００４２】
【発明の効果】
以上説明したように、本発明の表示用紙交換ホルダーは、透視性を有する合成樹脂から成る袋状シートの少なくとも上辺に挿通穴を有する係止片が形成されると共に、該袋状シートの上辺又は下辺のいずれか一方に設けられた開口に蓋弁が設けられ、該蓋弁をあけて袋状シート内に所定の表示用紙を収納することによって該表示用紙を入れ替え自在に表示可能としている。
【００４３】
従って、本発明の表示用紙交換ホルダーに設けられた係止片の挿通穴にＬ字形支柱等を挿通することによって、該ホルダーをのぼり旗として使用することができる。また、表示用紙の内容を変えただけで、交換可能に表示することができるため、材料に無駄が出ず、低コストで作成することが可能となる。
【００４４】
本発明においては、袋状シートの上辺に少なくとも２つの係止片を形成すると共に一側辺に少なくとも１つの係止片を形成した場合、各係止片に形成した挿通穴にＬ字形支柱を挿通して小型のぼり旗とすることができる。
【００４５】
さらに、本発明においては、袋状シートの上辺に係止片を形成した場合、該係止片の挿通穴を天井等の掛止金具に掛けることによって吊下げた状態に表示することができる。
【００４６】
また、本発明による表示用紙交換ホルダーを園芸用に適用した場合、１枚を含む少数の印刷、さらには必要枚数の表示用紙をパソコン等を利用した各種プリンタ等で印字して表示することができるため、表示用紙に無駄が出ず、必要コストの低減に有益となる。なお、本発明による表示用紙交換ホルダーは、表裏両面を透視可能とすることができるため、表示用紙の表面に所定の印刷を施すほか、裏面に植物の名称、特徴、育て方、価格、バーコード、鑑賞方法（野菜の場合、調理方法）等を印刷して表示することが可能となる。
【００４７】
また、この園芸用の表示用紙交換ホルダーにおいて蓋弁を下方に設けた場合、その他の上辺及び側辺は密閉されているため、植物の上方から補給された水分が表示用紙交換ホルダーの内部に侵入するおそれがない。また、仮に水分が内部に浸入した場合でも、開口が下方に形成されているため、蓋弁の両端の隙間から水分が落下して除去されるという利点を有する。
【００４８】
さらに、本発明の園芸用の表示用紙交換ホルダーにおいて、袋状シートの上辺に設けられた係止片の挿通穴の一側に切込線を設けることにより、該切込線を介して挿通穴に植物の枝又は茎等を係止することができる。この場合、線材がなくても、植物の枝又は茎等に、直接、係止片の挿通穴を係止して表示することが可能となる。
【図面の簡単な説明】
【図１】本発明による表示用紙交換ホルダーの一実施例を示す正面図である。
【図２】図１に示す表示用紙交換ホルダーの展開図である。
【図３】図１に示す表示用紙交換ホルダーに表示用紙を交換している状況を示す平面図である。
【図４】本発明による表示用紙交換ホルダーの他の実施例を示す正面図である。
【図５】本発明による表示用紙交換ホルダーの他の実施例を示す正面図である。
【図６】図５に示す表示用紙交換ホルダーの展開図である。
【図７】本発明による表示用紙交換ホルダーの他の実施例を示す正面図である。
【図８】図７に示す表示用紙交換ホルダーの展開図である。
【図９】本発明による表示用紙交換ホルダーを園芸用に適用した実施例を示す正面図である。
【図１０】図９に示す表示用紙交換ホルダーの展開図である。
【図１１】本発明による表示用紙交換ホルダーを園芸用に適用した他の実施例を示す正面図である。
【図１２】図１１に示す表示用紙交換ホルダーの展開図である。
【図１３】従来ののぼり旗を示す斜視図である。
【図１４】従来の他ののぼり旗を示す斜視図である。
【符号の説明】
Ｈ…表示用紙交換ホルダー
１…袋状シート
２…挿通穴
３…係止片
４…開口
５…蓋弁
６…支柱
７…支持台
７ａ…挿着穴
８…切込線
９ａ…左方の長方形平面
９ｂ…右方の長方形平面
９ｃ…折曲線
１０…表示用紙
１１…折曲片
１２…熱圧着
１３…掛止金具
１４…天井
１５…陳列台
１６…展開形状
１７…線材
１８…枝
１９…切込線
【図１】
2004333906.tif 000003
【図２】
2004333906.tif 000004
【図３】
2004333906.tif 000005
【図４】
2004333906.tif 000006
【図５】
2004333906.tif 000007
【図６】
2004333906.tif 000008
【図７】
2004333906.tif 000009
【図８】
2004333906.tif 000010
【図９】
2004333906.tif 000011
【図１０】
2004333906.tif 000012
【図１１】
2004333906.tif 000013
【図１２】
2004333906.tif 000014
【図１３】
2004333906.tif 000015
【図１４】
2004333906.tif 000016